(57)【要約】【課題】  フレーム体に嵌合されるカバー体の施錠装置において、部品の耐久性を高めるとともに、部品の交換を容易とした鉄蓋の施錠装置を提供する。【解決手段】  錐形内周面１Ａとこの下方に配置されたロック突起部１Ｂとを有するフレーム体１と、上記フレーム体の錐形内周面に嵌合するカバー体３と、上記カバー体の下面に吊り下げられ重力又は弾性部材の力で錐形内周面側に付勢されるとともにその外面を錐形内周面に接触させることにより錐形内周面から離反させる第１ロック体５０と、上記第１ロック体の下側に吊り下げられ下部に上記ロック突起部に係止されるフック部５１Ｃを備えた第２ロック体５１と、上記カバー体の下面に設けられ第２ロック体の上端部に係合し第１ロック体が錐形内周面側に移行したときにフック部をロック突起部に係止させ第１ロック体が錐形内周面から離反したときにフック部をロック突起部から離反させるストッパー部材５５，５７を備えたものである。【選択図】図１
2005330723.tif 000002
【特許請求の範囲】
【請求項１】
錐形内周面とこの下方に配置されたロック突起部とを有するフレーム体と、上記フレーム体の錐形内周面に嵌合するカバー体と、上記カバー体の下面に吊り下げられ重力又は弾性部材の力で錐形内周面側に付勢されるとともにその外面を錐形内周面に接触させることにより錐形内周面から離反させる第１ロック体と、上記第１ロック体の下側に吊り下げられ下部に上記ロック突起部に係止されるフック部を備えた第２ロック体と、上記カバー体の下面に設けられ第２ロック体の上端部に係合し第１ロック体が錐形内周面側に移行したときにフック部をロック突起部に係止させ第１ロック体が錐形内周面から離反したときにフック部をロック突起部から離反させるストッパー部材と、を具備したことを特徴とする鉄蓋の施錠装置。
【請求項２】
錐形内周面とこの下方に配置されたロック突起部とを有するフレーム体と、上記フレーム体の錐形内周面に嵌合するカバー体と、上記カバー体の下面に吊り下げられ重力又は弾性部材の力で錐形内周面側に付勢され下部に上記ロック突起部に係止されるフック部を備えたロック体と、上記ロック体とは別部材で形成されロック体に回転可能に配置されたローラー体と、を具備したことを特徴とする鉄蓋の施錠装置。
【発明の詳細な説明】
【技術分野】
【０００１】
本発明は、道路等に埋設されている鉄蓋（以下、カバー体という）において、内圧で外れないようにした鉄蓋の施錠装置に係り、特に、耐蝕性、耐摩耗性と交換性を向上させたものに関する。
【背景技術】
【０００２】
従来、地下施設の出入口となる鉄蓋は、鉄蓋内に雨水が流入せず、鉄蓋内の圧力によりカバー体が浮上したり飛び上がることなく、自動的にフレームにカバーがロックするようにしている。その具体例は、図１２に示すように、カバー１０３に設けた袋状コジリ穴兼用かぎ穴１１０と袋状コジリ穴兼用かぎ穴１１０のかぎ部１１２に係合する係合部１２１を備えた専用手かぎ１２０と、フレーム１０１の内周に突設したロック用突起部１０５と、カバー１０３に吊り下げた一方の浮上防止自動ロック部材１０６及び他方の浮上防止自動ロック部材１０６ａと、浮上防止自動ロック部材１０６，１０６ａに橋架した一方のロック片１０７及び他方のロック片１０７ａとよりなり、専用手かぎ１２０の係合部１２１にてかぎ部１１２をコジリ、一方のロック片１０７と他方のロック片１０７ａをロック用突起部１０５の外周面を経由させて鍵止を外すものである。そして、マンホールの内圧力にてカバー１０３が持ち上げられるように作動すると、一方のロック片１０７と他方のロック片１０７ａがロック用突起部１０５の外周面に係止して、それ以上カバー１０３が持ち上がつたり飛び上がらないものである。（例えば、特許文献１参照。）。
【０００３】
【特許文献１】特開平９−３２０２６号公報
【０００４】
上記従来のマンホールは、一方のロック片と他方のロック片をロック用突起部の外周面の一定の位置を滑らせて経由させ鍵止を外すものである。すなわち、フックと凸部が一体型で凸部を錐形内周面に摺接させるものであるから、繰り返される開閉操作によりこの両方の滑り面の一ヶ所の摩耗が急速に増大する。この結果、特定の滑り面のみが早期に摩耗し、マンホールにおけるカバーの鍵止め機能と解除機能が正常に機能しなくなるとともに雨水が流入しやすくなる問題がある。また、上記施錠部材であるロック片やロック用突起部は、鋳物で一体形成されているものであり、機械的摩耗や化学的な腐食の進行は免れられない。このような事態になった時、施錠部材の全体を交換する必要があり、交換の手間がかかるとともに、交換コストが高くなるという問題がある。
【発明の開示】
【発明が解決しようとする課題】
【０００５】
本発明はこのような点に基づいてなされたものでその目的とするところは、フレーム体とこれに嵌合されるカバー体との間に備える施錠装置の摩耗を分散させて部品・部材の耐久性を高めるとともに、部品交換も摩耗した部品・部材だけで済むようにした鉄蓋の施錠装置を提供することにある。
【課題を解決するための手段】
【０００６】
上記目的を達成するべく本発明の請求項１による鉄蓋の施錠装置は、錐形内周面とこの下方に配置されたロック突起部とを有するフレーム体と、上記フレーム体の錐形内周面に嵌合するカバー体と、上記カバー体の下面に吊り下げられ重力又は弾性部材の力で錐形内周面側に付勢されるとともにその外面を錐形内周面に接触させることにより錐形内周面から離反させる第１ロック体と、上記第１ロック体の下側に吊り下げられ下部に上記ロック突起部に係止されるフック部を備えた第２ロック体と、上記カバー体の下面に設けられ第２ロック体の上端部に係合し第１ロック体が錐形内周面側に移行したときにフック部をロック突起部に係止させ第１ロック体が錐形内周面から離反したときにフック部をロック突起部から離反させるストッパー部材と、を具備したことを特徴とするものである。
【０００７】
また、請求項２による鉄蓋の施錠装置は、錐形内周面とこの下方に配置されたロック突起部とを有するフレーム体と、上記フレーム体の錐形内周面に嵌合するカバー体と、上記カバー体の下面に吊り下げられ重力又は弾性部材の力で錐形内周面側に付勢され下部に上記ロック突起部に係止されるフック部を備えたロック体と、上記ロック体とは別部材で形成されロック体に回転可能に配置されたローラー体と、を具備したことを特徴とするものである。
【０００８】
すなわち、本発明の請求項１の鉄蓋の施錠装置においては、上記カバー体の下面に吊設した第１ロック体は下端側がフレーム体側に自重又は弾性部材により付勢され、この第１ロック体の下側に吊り下げた第２ロック体はこの上端部がカバー体の下面に設けたストッパー部材に係合されている。これで、第２ロック体の下端フック部は、内圧でカバー体が浮上した場合、第１ロック体が自重又は弾性部材によりフレーム体の錐形内周面側に接近されて、第２ロック体の下端フック部がロック突起部に係止して施錠される。また、カバー体を持ち上げた後に、フレーム体の錐形内周面側に移行させると、第１ロック体の下側が錐形内周面に接触して押し返されるので、この下側に吊り下げた第２ロック体の下端フック部がロック突起部から離反して施錠が解除される。そして、カバー体をフレーム体から円滑に引き上げることができ、且つ旋回動して鉄蓋が開口させられる。これにより、第１ロック体は錐形内周面に接触して摺動され、この接触部分は１ヶ所であるが僅かであり、全体の機構で開蓋するので摩耗が少ない。また、第１ロック体と第２ロック体を着脱可能としているから容易に交換でき、第１ロック体のみを交換すれば良い。
【０００９】
また、本発明の請求項２の鉄蓋の施錠装置においては、カバー体の下面に吊り下げられたロック体は、この下端にフレーム体のロック突起部に係止するフック部を備え、このロック体にフレーム体の錐形内周面に対面する解除用のローラー体を別体として備えている。これにより、カバー体をフレーム体から持ち上げた後、解除方向（ローラー体を錐形内周面側の方向）に移動させると、ローラー体はロック突起部の上側の錐形内周面に接触して転動し、ロック体の下端フック部をフレーム体のロック突起部から離反させてロックが解除される。よって、カバー体をフレーム体から円滑に引き上げることができ、且つ旋回動して鉄蓋が開口される。これにより、ローラー体は錐形内周面に当接して転動され、その摩耗が少なく均等となるから、施錠機能の健全性が長期間にわたり維持される。また、ローラー体が摩耗した時には、このローラー体は着脱可能にロック体に支持されているから容易に交換ができ、ローラー体のみを交換すれば良い。
【発明の効果】
【００１０】
本発明の最初の鉄蓋の施錠装置によると、上記カバー体に吊設したロック体は、第１ロック体と第２ロック体とに分割し、開蓋するためのストッパー部材を備えたから、接触部分は１ヶ所であるが僅かであり、全体の機能で開蓋するので摩耗が少なく施錠機能の健全性が長期間にわたり維持できる。また、第１ロック体と第２ロック体とが着脱自在であるから、仮に磨耗した時には第１ロック体のみの交換で良く、その交換作業が容易にでき、交換コストも安価にできる。
【００１１】
また、本発明の次の鉄蓋の施錠装置によると、カバー体に吊設するロック体は、下端にフレーム体のロック突起部に係止するフック部を備え、フレーム体の錐形内周面に当接して転動するローラー体を別設したから、ローラー体と錐形内周面の摩耗が少なく均等な摩耗となって施錠機能の健全性が長期間にわたり維持できる。また、ローラー体が着脱自在であるから、仮に摩耗した時には、ローラー体のみの交換で良く、その交換作業が容易にでき、交換コストも安価にできる。
【発明を実施するための最良の形態】
【００１２】
以下、図１乃至図５を参照して本発明の第１の実施の形態のマンホール用蓋の施錠装置１００を説明する。図１はマンホール用蓋の施錠装置１００の外観斜視図、図２は閉蓋時の施錠装置の断面図、図３はロック時の施錠装置の断面図、図４は開口操作時の施錠装置の断面図、図５は開口時の施錠装置の断面図である。その構成は、錐形内周面１Ａとこの一部にロック突起部１Ｂを有するフレーム体１と、フレーム体１の錐形内周面１Ａに嵌合するカバー体３と、第１ロック体５０と第２ロック体５１とストッパー部材５５，５７を備えたものである。図１に示すように、フレーム体１は、錐形内周面１Ａを有し、この一部にロック突起部１Ｂが設けられている。上記フレーム体１の錐形内周面１Ａに、カバー体３が嵌合して閉塞される。上記カバー体３は、一部にコジリ穴兼用鍵穴３Ｈが形成されている。上記コジリ穴兼用鍵穴３Ｈは、カバー体３の片隅の下面３Ａ側に凸面部３Ｈ´として形成されている。上記凸面部３Ｈ´の円周方向の両側には、２つの支持部３Ｂ，３Ｃが付設され、この孔ｈ１、ｈ２と第１ロック体５０の二股部５０Ａ，５０Ｂの孔ｈ３、ｈ４にピンＰ２，Ｐ２を通して第１ロック体５０が吊り下げられている。これで、第１ロック体５０はフレーム体１の錐形内周面１Ａの方向に振り子運動が可能に吊設され、且つ第１ロック体５０の背面にボルトＢとナットＮで固着した弾性部材１０で下端をフレーム体１の錐形内周面１Ａ側に付勢されている。
【００１３】
上記第１ロック体５０の下側には、下端にフック部５１Ｃを備えた第２ロック体５１がピンＰ３でその中間部を吊り下げ支持されている。すなわち、上記第１ロック体５０は、二股部５０Ａ，５０Ｂの中間突部５０Ｇ，５０Ｇが錐形内周面１Ａ側に突出し、下端が開口している。上記第１ロック体５０の二股部５０Ａ，５０Ｂの下部には長孔溝ｈ７が設けられ、第２ロック体５１の両側に突設したピンＰ３を係合して回転可能に吊り下げられている。第２ロック体５１の下端には上記ロック突起部１Ｂに係止されるフック部５１Ｃが設けられている。更に、上記カバー体３の凸面部３Ｈ´に、前後２つの山形のストッパー部材５５，５７が設けられている。このストッパー部材５５，５７の間に、上記第２ロック体５１の上端部５１Ａが係合されており、第１ロック体５０が錐形内周面１Ａ側に押し出したときに、フック部５１Ｃをロック突起部１Ｂ側に移行させて係止させ、第１ロック体５０が錐形内周面１Ａから離反したときに、フック部５１Ｃをロック突起部１Ｂから離反させて係止を解除させる構成になっている。
【００１４】
これで、第１ロック体５０がフレーム体１の錐形内周面１Ａ側に弾性部材１０で付勢された時に、第２ロック体５１の下端フック部５１Ｃがロック突起部１Ｂに係止される。また、カバー体３を錐形内周面１Ａ側にずらした時には、錐形内周面１Ａに第１ロック体５０の中間突部５０Ｇ，５０Ｇが接触して弾性部材１０に抗して第２ロック体５１の下端フック部５１Ｃがロック突起部１Ｂから離反された解除状態になる。
【００１５】
上記第１の実施の形態によると、まず、図２に示すように、閉蓋時には、カバー体３の下面３Ａに吊設した第１ロック体５０は下端側がフレーム体１側に弾性部材１０により付勢され、第１ロック体５０の中間突部５０Ｇ，５０Ｇがロック突起部１Ｂに接触して止められている。また、第１ロック体５０に吊り下げた第２ロック体５１は、この上端部５１Ａがカバー体３の下面３Ａに設けたストッパー部材５５，５７間に係合されている。これで、図３に示すように、第２ロック体５１のフック部５１Ｃは、マンホールの内圧でカバー体３が浮上したような場合には、第１ロック体５０が弾性部材１０によりフレーム体１の錐形内周面１Ａ側に押し出され、第２ロック体５１の上端部５１Ａがストッパー部材５５に当接してフック部５１Ｃをロック突起部１Ｂに係止させるので施錠状態が維持される。一方、開蓋時に、カバー体３を専用手カギ棒３０で持ち上げた後に、図４に示すように、フレーム体１の錐形内周面１Ａ側に移行させると、第１ロック体５０の中間突部５０Ｇ，５０Ｇが錐形内周面１Ａに接触して押し返され、第２ロック体５１の上端部５１Ａがストッパー部材５７に当接してフック部５１Ｃをロック突起部１Ｂから離反させるので施錠状態が解除される。したがって、図５に示すように、カバー体３をフレーム体１から引き上げることができ、旋回してマンホールを開口することができる。
【００１６】
上記構成によると、上記カバー体３に吊設したロック体を、第１ロック体５０と第２ロック体５１とに分割し、しかも、開蓋するためのストッパー部材５５，５７を備えたから、錐形内周面１Ａとの接触部分は１ヶ所であるが僅かであり、全体の機能で開蓋するので摩耗が少なく、施錠機能の健全性が長期間にわたり維持できる。また、第１ロック体と第２ロック体とが着脱自在であるから、仮に磨耗した場合も、第１ロック体のみの交換で良く、その交換作業が容易にでき、交換コストも安価にできる。
【００１７】
次に、図６乃至図１１を参照して本発明の第２の実施の形態を説明する。図６はマンホール用蓋の施錠装置２００の外観斜視図、図７はロック体の正面図、図８はフレーム体の断面図と正面図である。図９は閉蓋時の施錠装置の断面図、図１０はロック時の施錠装置の断面図、図１１は開口操作時の施錠装置の断面図である。
【００１８】
本発明のマンホール用蓋の施錠装置２００は、道路や歩道、建物施設内等に埋設されている下水道、地下施設の出入口に施工される。先ず、地面Ｍに頂部を覗かせたリング状のフレーム体１が埋設されている。このフレーム体１は鋳造品又は鍛造品で、錐形内周面１Ａ（本実施の形態では円錐形）を有し、この一部にロック突起部１Ｂが中心側の下方に向けて設けられている。上記フレーム体１の錐形内周面１Ａに、フレーム体１の外形と同形（本実施の形態では円盤状）の鋳造品又は鍛造品のカバー体３が嵌合して閉塞される。上記カバー体３は、その外周上面の一部にコジリ穴兼用鍵穴３Ｈが袋状の断面形状に形成されている。尚、コジリ穴兼用鍵穴３Ｈは、カバー体３の下面側から見ると、凸面部３Ｈ´をなしている。凸面部３Ｈ´の下部にはストッパー部材６があり、これとローラー体７が接触することでロック体５の位置決めを可能としている。上記カバー体３の開蓋操作は、専用手カギ棒３０の先端部３０Ａをコジリ穴兼用鍵穴３Ｈの開口３Ｉから挿入してカギ部３Ｊに引き掛けて行われる。
【００１９】
上記カバー体３の凸面部３Ｈ´の円周方向の両側には、２つの支持部３Ｂ，３Ｃが付設されていて、この孔ｈ１、ｈ２とロック体５の二股部５Ａ，５Ｂの孔ｈ３、ｈ４にピンＰ１，Ｐ１を通して吊り下げられている。これで、ロック体５はフレーム体１の錐形内周面１Ａの方向に振り子運動が可能に吊設されている。勿論、図７に示すように、二股部５Ａ，５Ｂの外壁に軸部Ｐ１′，Ｐ１″を直に植設しても良い。この構成によるときは、まず、片方の軸部Ｐ１′を支持部３Ｂの孔ｈ１に挿入する。続いて、他方の軸部Ｐ１″は着脱式とし、二股部５Ｂの孔ｈ４を支持部３Ｃの孔ｈ２に合わせた状態で、両方の孔ｈ２，ｈ４に挿入して取り付けられる。
【００２０】
上記ロック体５は、下端に突設したフック部５Ｃがロック突起部１Ｂの方向に向けられている。また、上記ロック体５の中間部における二股部５Ｄ，５Ｄには、その対向面側に上方に開口する長孔溝５Ｅ，５Ｆが凹設されている。上記長孔溝５Ｅ，５Ｆには、ローラ部７Ａと両側の軸部７Ｂ，７Ｃからなるローラー体７を、その軸部７Ｂ，７Ｃを係合されて回転可能、且つ着脱可能に支持されている。尚、ローラー体７を支持している長孔溝５Ｅ，５Ｆの入口には、外れ止め板Ｓが着脱可能に嵌められている。長孔溝５Ｅ，５Ｆは耐蝕性の高い材料や表面処理が施されていることが好ましい。これで、上記ローラー体７は、その一部がロック体５から錐形内周面１Ａ側に突出配置され、フック部５Ｃをロック突起部１Ｂとの係止から解除するための部材として機能するようになっている。。尚、ローラー体７は、上記錐形内周面１Ａと同一材質の鋳造品又は鍛造品とすることもできるが、好ましくはステンレス材、樹脂材等の耐蝕性、耐摩耗性の高い材料で形成されている。
【００２１】
更に、コイル状に捲いた押圧バネ（以下、弾性部材という）１０がその中間取付部１０Ａを嵌めた上でボルトＢとナットＮで固着されている。弾性部材１０の自由端１０Ｂ，１０Ｃはカバー体の下面３Ａの係止座Ｋ１，Ｋ２に掛け止めされている。この弾性部材１０の付勢力によりロック体５及びこの中間部に付設されたローラー体７をフレーム体の錐形内周面１Ａ側に押し付けるように構成されている。これにより、図９に示すように、カバー体３がフレーム体１の錐形内周面１Ａに嵌合した時は、フック部５Ｃがフレーム体１の下端縁１Ｇに接触して止められており、また、図１０に示すように、内圧等でカバー体３が垂直上方に持ち上げられると、弾性部材１０がロック体５とこれに付設されたローラー体７をフレーム体１側に付勢して錐形内周面１Ａに接触させるので、フック部５Ｃがロック突起部１Ｂに係止して鍵止されるのであり、更に、図１１に示すように、図１０の状態からカバー体３を錐形内周面１Ａ側に水平移動させると、ローラー体７が錐形内周面１Ａに転動されながら押し返され、ロック体５はピンＰ１，Ｐ１を支点にしてフレーム体１の中心側に移動してフック部５Ｃがロック突起部１Ｂから外れカバー体３を持ち上げられる状態となるのである。
【００２２】
以上の構成を基にその作用を説明する。図９に示すように、カバー体３の下面３ＡにピンＰ１，Ｐ１で吊り下げられたロック体５は、この下端にフレーム体１のロック突起部１Ｂに係止するフック部５Ｃを備え、このロック体５の中間部にフレーム体１の錐形内周面１Ａに対面する解除用のローラー体７を別体として付設している。これにより、カバー体３がフレーム体１の錐形内周面１Ａに嵌合した時には、フック部５Ｃがフレーム体１の下端縁１Ｇに接触して止められている。そして、大雨時等において、マンホール１００内の水圧が上昇すると、図１０に示すように、内圧でカバー体３が垂直上方に持ち上げられる。このときは、弾性部材１０がロック体５とこれに付設されたローラー体７をフレーム体１側に回動して錐形内周面１Ａに接触させ、フック部５Ｃがロック突起部１Ｂに係止されるので鍵止される。これにより、カバー体３が内圧で不用意に外れることがなくなり、通行人の転落事故や車両の脱輪事故を防止することができる。
【００２３】
更に、マンホール用蓋の施錠装置２００のカバー体３を開口する時には、専用手カギ棒３０の先端部をコジリ穴兼用鍵穴３Ｈの開口３Ｉから挿入してカギ部３Ｊに引き掛け、一旦、図１０の状態として、この状態から図１１に示すように、カバー体３を錐形内周面１Ａ側に水平移動させる。このとき、ローラー体７が転動しながら錐形内周面１Ａに押し返され、ロック体５はピンＰ１，Ｐ１を支点にしてフレーム体１の中心側に移動するので、フック部５Ｃがロック突起部１Ｂから外れ、カバー体３を更に高く持ち上げられる。これにより、カバー体３はフレーム体１上を旋回して開口することができる状態となる。
【００２４】
上記マンホール用蓋の施錠装置２００において、カバー体３のロック時や開口時は、ローラー体７は錐形内周面１Ａに転動しながら接触されるから、その摩耗が少なく均等な摩耗となって、施錠機能の健全性が長期間にわたり維持される。また、ローラー体７が摩耗した時には、このローラー体７の交換は、ローラー体７を長孔溝５Ｅ，５Ｆから引き抜くだけの簡単な操作で交換作業が容易に行われる。尚、ローラー体７を長孔溝５Ｅ，５Ｆから引き抜くに先立ち、長孔溝５Ｅ，５Ｆの入口に嵌めた外れ止め板Ｓを外すのは勿論である。
【００２５】
また、ロック体５及びローラー体７をフレーム体１の錐形内周面１Ａ側に付勢される弾性部材１０が設けられているから、ロック体５の下端フック部５Ｃがフレーム体のロック突起部１Ｂに積極的に押し付けられ、下端フック部５Ｃがロック突起部１Ｂに確実に係止する。従って、マンホールのカバー体３が内圧で持ち上げられても、一層確実に外れないように施錠される。
【００２６】
上記本実施の形態によると次のような効果を奏する。まず、カバー体に吊設するロック体５は、下端にフレーム体のロック突起部に係止するフック部５Ｃを備え、中間部にフレーム体の錐形内周面に接触して転動するローラー体７を別設したから、ローラー体と錐形内周面の摩耗が少なく均等な摩耗となって施錠機能の健全性が長期間にわたり維持できる。また、ローラー体７が摩耗したときには、ローラー体だけの交換で良く、その作業が容易にでき、交換コストも安価にできる。更に、ロック体をロック突起部側に付勢される弾性部材１０を備えているから、ロック体の下端フック部がフレーム体のロック突起部に積極的に付勢でき、下端フック部がロック突起部に一層確実に係止できる。
【００２７】
尚、本発明は上記第１及び第２の実施の形態に限定されるものではない。例えば弾性部材１０としては、押圧バネを例として挙げたが、他の弾性体を使用することもできるし、錘の自重により一方向に付勢する構成とすることも可能である。また、第１ロック体と第２ロック体との間に第３ロック体、更には第４ロック体等を介在させることも可能であり、本発明はロック体を３個以上有する場合も含まれる。
【産業上の利用可能性】
【００２８】
本発明の鉄蓋の施錠装置は、道路や歩道、建物施設内等に埋設されている下水道、地下施設の出入口となるマンホールを対象に説明したが、それに限定されるものではなく、ＣＣボックス用蓋等種々の地下構造物の蓋にも適用可能である。
【図面の簡単な説明】
【００２９】
【図１】本発明の第１の実施の形態を示し、マンホール用蓋の施錠装置の外観斜視図である。
【図２】本発明の第１の実施の形態を示し、カバー体の閉塞時の断面図である。
【図３】本発明の第１の実施の形態を示し、カバー体のロック時の断面図である。
【図４】本発明の第１の実施の形態を示し、カバー体の開口操作時の断面図である。
【図５】本発明の第１の実施の形態を示し、カバー体の開口時の断面図である。
【図６】本発明の第２の実施の形態を示し、マンホール用蓋の施錠装置の外観斜視図である。
【図７】本発明の第２の実施の形態を示し、ロック体の正面図である。
【図８】本発明の第２の実施の形態を示し、フレーム体の断面図と正面図である。
【図９】本発明の第２の実施の形態を示し、カバー体の閉塞時の断面図である。
【図１０】本発明の第２の実施の形態を示し、カバー体のロック時の断面図である。
【図１１】本発明の第２の実施の形態を示し、カバー体の開口操作時の断面図である。
【図１２】従来例のマンホールを示す断面図である。
【符号の説明】
【００３０】
１                  フレーム体
１Ａ                錐形内周面
１Ｂ                ロック突起部
１Ｇ                下端縁
３                  カバー体
１Ａ                下面
３Ｂ，３Ｃ          支持部
３Ｈ                コジリ穴兼用鍵穴
３Ｈ´              凸面部
３Ｉ                開口
３Ｊ                カギ部
５                  ロック体
５Ａ，５Ｂ          二股部
５Ｃ                フック部
５Ｄ                二股部
５Ｅ，５Ｆ          長孔溝
７                  ローラー体
７Ａ                ローラ部
７Ｂ，７Ｃ          軸部
１０                弾性部材
１０Ａ              中間取付部
１０Ｂ，１０Ｃ      自由端
３０                専用手カギ棒
３０Ａ              先端部
５０                第１ロック体
５０Ａ，５０Ｂ      二股部
５０Ｇ              中間突部
５１                第２ロック体
５１Ａ              上端部
５１Ｃ              フック部
６，５５，５７      ストッパー部材
Ｂ                  ボルト
Ｎ                  ナット
Ｍ                  地面
ｈ１〜ｈ６          孔
ｈ７                長孔溝
Ｐ１，Ｐ２          ピン
Ｐ３                ピン
Ｐ１′，Ｐ１″      軸部
１００，２００      マンホール用蓋の施錠装置
【図１】
2005330723.tif 000003
【図２】
2005330723.tif 000004
【図３】
2005330723.tif 000005
【図４】
2005330723.tif 000006
【図５】
2005330723.tif 000007
【図６】
2005330723.tif 000008
【図７】
2005330723.tif 000009
【図８】
2005330723.tif 000010
【図９】
2005330723.tif 000011
【図１０】
2005330723.tif 000012
【図１１】
2005330723.tif 000013
【図１２】
2005330723.tif 000014